(57)【要約】【課題】ＶＬＡＮを用いたイーサネットオーバーＳＯＮＥＴ技術において、Ｌ２スイッチのＭＡＣアドレス学習のためのハードウェアの負荷を低減させ、イーサネットおよびＳＯＮＥＴ間のフレーム伝送を容易にし、さらに、各装置の信頼度を向上させる。【解決手段】イーサネットフレームとＳＯＮＥＴフレームとを変換可能なインターフェース部１０において、イーサネットフレームの特定ＶＬＡＮＩＤとＳＯＮＥＴフレームの特定ＳＴＳパスＩＤとを対応付けて保持するレジスタ１１ａと、入力された複数のイーサネットフレームのＶＬＡＮＩＤのうちのレジスタ１１ａにて保持された特定ＳＴＳパスＩＤに対応する特定ＶＬＡＮＩＤを有するイーサネットフレームを多重化する多重化部１７とをそなえて構成する。【選択図】  図６
2004194051.tif 000002
【特許請求の範囲】
【請求項１】
イーサネットフレームとＳＯＮＥＴフレームとを変換可能なインターフェース装置において、
該イーサネットフレームの特定ＶＬＡＮ識別子とＳＯＮＥＴフレームの特定ＳＴＳパス識別子とを対応付けて保持する第１保持部と、
入力された複数のイーサネットフレームのＶＬＡＮ識別子のうちの該第１保持部にて保持された該特定ＳＴＳパス識別子に対応する特定ＶＬＡＮ識別子を有するイーサネットフレームを多重化する多重化部とをそなえて構成されたことを特徴とする、インターフェース装置。
【請求項２】
イーサネットフレームとＳＯＮＥＴフレームとを変換可能なインターフェース装置において、
該ＳＯＮＥＴフレームの特定ＳＴＳパス識別子とイーサネットフレームの特定ＶＬＡＮ識別子とを対応付けて保持する第２保持部と、
複数のイーサネットフレームを多重化されたＳＯＮＥＴフレームに起因するフレームから各イーサネットフレームと該ＳＯＮＥＴフレームのＳＴＳパス識別子とを抽出し、抽出した複数のイーサネットフレームに、該第２保持部にて保持された該ＳＴＳパス識別子に対応するＶＬＡＮ識別子を付与する分離部とをそなえて構成されたことを特徴とする、インターフェース装置。
【請求項３】
イーサネットインターフェース装置とＳＯＮＥＴインターフェース装置とをそなえたＳＯＮＥＴ多重分離装置において、
該イーサネットインターフェース装置が、
該イーサネットフレームの特定ＶＬＡＮ識別子とＳＯＮＥＴフレームの特定ＳＴＳパス識別子とを対応付けて保持する第１保持部と、
入力された複数のイーサネットフレームのＶＬＡＮ識別子のうちの該第１保持部にて保持された該特定ＳＴＳパス識別子に対応する特定ＶＬＡＮ識別子を有するイーサネットフレームを多重化する多重化部とをそなえて構成されたことを特徴とする、ＳＯＮＥＴ多重分離装置。
【請求項４】
イーサネットインターフェース装置とＳＯＮＥＴインターフェース装置とを有するＳＯＮＥＴ多重分離装置を複数そなえた伝送システムにおいて、
該複数のＳＯＮＥＴ多重分離装置のうちの第１のＳＯＮＥＴ多重分離装置が、該イーサネットフレームの特定ＶＬＡＮ識別子とＳＯＮＥＴフレームの特定ＳＴＳパス識別子とを対応付けて保持する第１保持部と、
入力された複数のイーサネットフレームのＶＬＡＮ識別子のうちの該第１保持部にて保持された該特定ＳＴＳパス識別子に対応する特定ＶＬＡＮ識別子を有する複数のイーサネットフレームを多重化する多重化部とをそなえるとともに、
該複数のＳＯＮＥＴ多重分離装置のうちの第２のＳＯＮＥＴ多重分離装置が、該ＳＯＮＥＴフレームの特定ＳＴＳパス識別子とイーサネットフレームの特定ＶＬＡＮ識別子とを対応付けて保持する第２保持部と、
該ＳＯＮＥＴフレームに起因するフレームから各イーサネットフレームと該ＳＯＮＥＴフレームのＳＴＳパス識別子とを抽出し、抽出した各イーサネットフレームに、該第２保持部にて保持された該ＳＴＳパス識別子に対応するＶＬＡＮ識別子を付与する分離部とをそなえて構成されたことを特徴とする、伝送システム。
【請求項５】
イーサネットフレームとＳＯＮＥＴフレームとを変換可能なインターフェース装置におけるフレーム伝送方法であって、
複数のイーサネットフレームを入力され、
該複数のイーサネットフレームのうちの特定ＶＬＡＮ識別子を有するイーサネットフレームを通過させ、
通過させたイーサネットフレームを多重化することを特徴とする、フレーム伝送方法。
【発明の詳細な説明】
【０００１】
【発明の属する技術分野】
本発明は、例えばＳＯＮＥＴ（Synchronous Optical Network：同期光伝送ネットワーク）パスを利用したイーサネット（登録商標）又はEthernet（登録商標）フレームのインターフェース技術に関し、特に、１個のイーサネットフレームから複数個のＳＯＮＥＴフレームに分岐して１対Ｎのパスで行なうインターフェースに用いて好適な、インターフェース装置，ＳＯＮＥＴ多重分離装置，伝送システムおよびフレーム伝送方法に関する。
【０００２】
【従来の技術】
近年、イーサネットを用いたデータ伝送が爆発的に増加している。特に、ＳＯＮＥＴベースの広域イーサネットは、既存のネットワークを利用しているので、この広域イーサネットの利用サービスが広く提供されている。このため、ＳＯＮＥＴのデータトラフィックをマッピングするイーサネットオーバーＳＯＮＥＴ技術が要請されている。
【０００３】
図８はフレーム伝送システム（伝送システム）の概略的な構成図である。この図８に示すフレーム伝送システム５００は、例えばパーソナルコンピュータ（パソコン）のクライアント端末４３が、遠距離のＬＡＮ（Local Area Network）又は後述するＶＬＡＮ（Virtual Local Area Network, Virtual ＬＡＮ，仮想ＬＡＮ）を用いてイーサネットオーバーＳＯＮＥＴ伝送を利用できるようにしたものであって、光ファイバからなるリング伝送路５０ｆと、各イーサネットインターフェースおよびＳＯＮＥＴインターフェース間をインターフェースするＳＯＮＥＴ多重分離装置５００ａ〜５００ｄと、イーサネット対応のＬＡＮスイッチ４００ａ〜４００ｄとをそなえて構成されている。なお、ＳＯＮＥＴ多重分離装置は、ＳＯＮＥＴ−ＡＤＭ（同期光伝送ネットワークおよびアドドロップ多重装置 [Synchronous Optical NETwork & Add & Drop Multiplexer]）装置，ＡＤＭ装置，ＡＤＭ又はＡＤＭノードとも称することがあり、以下、特に断らない限り、単にＡＤＭノードと称する。
【０００４】
フレーム伝送システム５００の伝送レートは、ＯＣ（Optical Carrier）−４８であって、このＯＣ−４８は、北米のディジタルハイアラーキとして規定されている複数の伝送レートＯＣ−１，ＯＣ−３等の一つである。また、各伝送レートにおいて、情報データを伝送するためのコンテナ容量（又は単にコンテナ）が規定されており、図８に示すＡＤＭノード５００ａとＡＤＭノード５００ｂとの間のコンテナ容量は、ＳＴＳ（Synchronous Transport Signal）−３ｃであり、ＡＤＭノード５００ａとＡＤＭノード５００ｃとの間、およびＡＤＭノード５００ａとＡＤＭノード５００ｄとの間のコンテナ容量は、それぞれ、ＳＴＳ−３ｃ×２，ＳＴＳ−１として規定されている。
【０００５】
これにより、サーバ４１から送信されたイーサネットフレームは、ＡＤＭノード５００ａにてＳＯＮＥＴフレームに変換され、このＳＯＮＥＴフレームはリング伝送路５０ｆを介して、ＡＤＭノード５００ｂ〜５００ｄのそれぞれに伝送され、そして、各クライアント端末４３に受信される。
また、フレーム伝送システム５００は、プロテクションのためのＵＰＳＲ（Unidirectional Path Switched Ring）とを用いている。このＵＰＳＲは、リング伝送路５０ｆの切り替え方式の一つであって、送信側のＡＤＭノード５００ａ〜５００ｄが同一のＳＯＮＥＴフレームを、リング伝送路５０ｆの右回りと左回りとの２チャネルで送信し、かつ受信側のＡＤＭノード５００ａ〜５００ｄが受信した２チャネルのうちのいずれか一方を選択するためのものである。そして、ＡＤＭノード５００ａ〜５００ｄが、受信したＳＯＮＥＴフレームに含まれる断または劣化を通知する情報を検出すると、リング伝送路５０ｆに設定していたパスを切り替える。
【０００６】
次に、各ＡＤＭノード５００ａ〜５００ｄは、ＳＯＮＥＴインターフェース部（図示省略）と、イーサネットインターフェース部とを有する。
図９はＬ２スイッチ使用時のイーサネットオーバーＳＯＮＥＴインターフェース部のブロック図である。この図９に示すイーサネットインターフェース部１３０は、１ギガビットイーサネットカード（ＧｂＥ：1 Giga Bit Ethernet Card）１０ｅと、この１ギガビットイーサネットカード１０ｅからのイーサネットフレームとＳＯＮＥＴフレームとを相互変換する光電気変換部１０ｄと、ＳＯＮＥＴフレームについて、１対Ｎにスイッチングし複数のＳＯＮＥＴフレームを送信する送信フレーム送信部１３５と、スイッチングしたＮ種類のＳＯＮＥＴフレームをＳＴＳ−１等のフォーマットを有するタイムスロットにマッピングする第１ＳＴＳインターフェース部１０ａと、タイムスロットから自局宛のＳＯＮＥＴフレームを選択するセレクタ１０ｃと、選択されたＳＯＮＥＴフレームを複数に分離するフレーム受信部１３６とをそなえて構成されている。
【０００７】
これにより、フレーム送信部１３５において、入力された１個のイーサネットフレームは、１対Ｎスイッチ部１３１ａにて、Ｎ本のＳＯＮＥＴパスにスイッチングされ、複数の多重化部１１７にて、カプセル化されて１対Ｎ（ポイントトゥマルチポイント：Point to Multipoint）のＳＴＳパスＩＤ（Identification）が付与される。そして、第１ＳＴＳインターフェース部１０ａにて、複数の多重化部１１７からのＳＯＮＥＴフレームは、ＳＴＳ−１単位に基づいてリング伝送路５０に出力される。
【０００８】
また、これにより、フレーム受信部１３６のセレクタ１０ｃにおいて、自ＡＤＭノード宛のタイムスロットが選択され、そのタイムスロットのＳＯＮＥＴフレームが分離され分離されたＳＯＮＥＴフレームが出力され、そして、その分離されたＳＯＮＥＴフレームのフォーマットが処理される。
また、従来、ＬＡＮスイッチ４００ａ〜４００ｄが、サーバ４１又はクライアント端末４３に対してイーサネットフレームを出力する場合に、各ＬＡＮスイッチ４００ａ〜４００ｄに設けられた１個のイーサネットポートから複数個のイーサネットポートに送信フレームをコピー又は分離するためには、Ｌ２スイッチ（レイヤ２スイッチ）が用いられていた。
【０００９】
Ｌ２スイッチは、ＯＳＩレイヤでいうデータリンクレイヤ以上の上位レイヤのアプリケーションをも扱うものであり、通常のＬ２スイッチが用いられた場合、ＳＴＳパスＩＤの中に複数のタグをもったＳＯＮＥＴフレームが伝送する。一方、通常のＬＡＮスイッチは、データリンクレイヤ（Ｌ２：Ｌａｙｅｒ２）よりも下位のレイヤを扱う（狭義のＬＡＮ）。
【００１０】
このＬ２スイッチはブリッジ機能を有し、ＭＡＣフレームのＭＡＣ（Media Access Control）アドレス（送信元アドレスＳＡ［Source Address］および送信先アドレスＤＡ［Destination Address］）を用いることにより、Ｌ２スイッチ内部においてアドレス学習とフィルタリングとを行なっている。Ｌ２スイッチは、この学習によりＭＡＣアドレスを読み出すと、その受信フレームをブリッジ接続している別の送信先へ転送するか否かを判断する。Ｌ２スイッチは、そのＭＡＣアドレスが、内部のＭＡＣアドレステーブル（アドレス一覧表）に登録されているか否かを確認し、登録されていない場合は、受信フレームを同一のＶＬＡＮに属する装置又は端末にマルチキャストする等を判断する。従って、ＳＯＮＥＴプロトコルを用いて遠距離のＬＡＮが実現され、広域イーサネットが実現できる。
【００１１】
ところで、イーサネットオーバーＳＯＮＥＴにおいては、ＶＬＡＮが用いられることが多い。ＶＬＡＮおよび通常のＬＡＮは、いずれも、複数のクライアント端末４３が物理的に接続されている。通常のＬＡＮにおいては、物理的に接続された複数のクライアント端末４３のアドレスは、Ｌ２スイッチによって認識される。
【００１２】
また、従来、提案された技術のうちの複数のユーザ側装置は、既存のＬＡＮアダプタを使用して、ＡＴＭネットワークを介して相互接続することが可能となり、ＡＴＭスイッチ構造を含むネットワーク全体が一つのＶＬＡＮとして機能させるようになっている（例えば、特許文献１参照）。
特許文献１記載のコンピュータ通信ネットワークは、インターフェース装置によって、ＡＴＭスイッチの内のいくつかをそれぞれＬＡＮインターフェース・アダプタに接続するものであり、そのインターフェースは、ＬＡＮフレームを、ＡＴＭネットワークでの伝送用に適応させる。これにより、ユーザ側の装置は、これらのＬＡＮインターフェース・アダプタを介して透過的にワイド・エリア・ネットワークと通信できる。
【００１３】
【特許文献１】
特表平９−５０７７３１号公報
【００１４】
【発明が解決しようとする課題】
しかしながら、Ｌ２スイッチを用いたイーサネットフレームの送受信は、受信フレームおよび送信フレームが学習したＭＡＣアドレスを、ルーティングテーブル（図示省略）のテーブルデータとしてＬ２スイッチ内部に記憶する必要がある。そのうえ、Ｌ２スイッチは、ＭＰＵ（Micro Processing Unit），ＬＳＩ（Large Scale Integration）およびバッファメモリ等が不可欠であり、また、それらＭＰＵ等の機構が複雑である。従って、Ｌ２スイッチは、ハードウェアに課する負荷が大きいという課題がある。
【００１５】
さらに、ＡＤＭノード５００ａ等をサポートする場合、イーサネットフレームのカプセリング時において、予め定義したＶＬＡＮＩＤ（ＶＩＤ）をＳＴＳパスＩＤとして容易に識別できることが好ましい。加えて、ネットワークにおける各装置の信頼度を向上させることが望まれている。
本発明は、このような課題に鑑み創案されたもので、ＶＬＡＮを用いたイーサネットオーバーＳＯＮＥＴ技術において、Ｌ２スイッチのＭＡＣアドレス学習のためのハードウェアの負荷を低減させ、イーサネットおよびＳＯＮＥＴ間のフレーム伝送を容易にし、さらに、各装置の信頼度を向上させることを目的とする。
【００１６】
【課題を解決するための手段】
このため、本発明のインターフェース装置は、イーサネットフレームとＳＯＮＥＴフレームとを変換可能なインターフェース装置において、イーサネットフレームの特定ＶＬＡＮ識別子とＳＯＮＥＴフレームの特定ＳＴＳパス識別子とを対応付けて保持する第１保持部と、入力された複数のイーサネットフレームのＶＬＡＮ識別子のうちの第１保持部にて保持された特定ＳＴＳパス識別子に対応する特定ＶＬＡＮ識別子を有するイーサネットフレームを多重化する多重化部とをそなえて構成されたことを特徴としている（請求項１）。
【００１７】
また、本発明のインターフェース装置は、イーサネットフレームとＳＯＮＥＴフレームとを変換可能なインターフェース装置において、ＳＯＮＥＴフレームの特定ＳＴＳパス識別子とイーサネットフレームの特定ＶＬＡＮ識別子とを対応付けて保持する第２保持部と、複数のイーサネットフレームを多重化されたＳＯＮＥＴフレームに起因するフレームから各イーサネットフレームとＳＯＮＥＴフレームのＳＴＳパス識別子とを抽出し、抽出した複数のイーサネットフレームに、第２保持部にて保持されたＳＴＳパス識別子に対応するＶＬＡＮ識別子を付与する分離部とをそなえて構成されたことを特徴としている（請求項２）。
【００１８】
さらに、本発明のＳＯＮＥＴ多重分離装置は、イーサネットインターフェース装置とＳＯＮＥＴインターフェース装置とをそなえたＳＯＮＥＴ多重分離装置において、イーサネットインターフェース装置が、イーサネットフレームの特定ＶＬＡＮ識別子とＳＯＮＥＴフレームの特定ＳＴＳパス識別子とを対応付けて保持する第１保持部と、入力された複数のイーサネットフレームのＶＬＡＮ識別子のうちの第１保持部にて保持された特定ＳＴＳパス識別子に対応する特定ＶＬＡＮ識別子を有するイーサネットフレームを多重化する多重化部とをそなえて構成されたことを特徴としている（請求項３）。
【００１９】
そして、本発明の伝送システムは、イーサネットインターフェース装置とＳＯＮＥＴインターフェース装置とを有するＳＯＮＥＴ多重分離装置を複数そなえた伝送システムにおいて、複数のＳＯＮＥＴ多重分離装置のうちの第１のＳＯＮＥＴ多重分離装置が、イーサネットフレームの特定ＶＬＡＮ識別子とＳＯＮＥＴフレームの特定ＳＴＳパス識別子とを対応付けて保持する第１保持部と、入力された複数のイーサネットフレームのＶＬＡＮ識別子のうちの第１保持部にて保持された特定ＳＴＳパス識別子に対応する特定ＶＬＡＮ識別子を有する複数のイーサネットフレームを多重化する多重化部とをそなえるとともに、複数のＳＯＮＥＴ多重分離装置のうちの第２のＳＯＮＥＴ多重分離装置が、ＳＯＮＥＴフレームの特定ＳＴＳパス識別子とイーサネットフレームの特定ＶＬＡＮ識別子とを対応付けて保持する第２保持部と、ＳＯＮＥＴフレームに起因するフレームから各イーサネットフレームとＳＯＮＥＴフレームのＳＴＳパス識別子とを抽出し、抽出した各イーサネットフレームに、第２保持部にて保持されたＳＴＳパス識別子に対応するＶＬＡＮ識別子を付与する分離部とをそなえて構成されたことを特徴としている（請求項４）。
【００２０】
また、本発明のフレーム伝送方法は、イーサネットフレームとＳＯＮＥＴフレームとを変換可能なインターフェース装置におけるフレーム伝送方法であって、複数のイーサネットフレームを入力され、複数のイーサネットフレームのうちの特定ＶＬＡＮ識別子を有するイーサネットフレームを通過させ、通過させたイーサネットフレームを多重化することを特徴としている（請求項５）。
【００２１】
【発明の実施の形態】
以下、図面を参照して本発明の実施の形態を説明する。
（Ａ）本発明の一実施形態の説明
図１は本発明が適用されるフレーム伝送システムの概略的な構成図である。この図１に示すフレーム伝送システム９９は、イーサネットインターフェース部（イーサネットユニット，イーサネットインターフェース装置：ＩＦと表示されたもの）１０と、このＳＯＮＥＴインターフェース部（ＳＯＮＥＴインターフェース装置）１０とを有するＡＤＭノード（ＳＯＮＥＴ多重分離装置）５０ａ〜５０ｄを一例として４台そなえて構成されている。これらのＡＤＭノード５０ａ〜５０ｄのいずれかにおいて入力されたイーサネットフレームは、同期光伝送ネットワークであるＳＯＮＥＴのＳＴＳパスＩＤ（ＳＴＳパス識別子）を挿入されたＳＯＮＥＴフレームにカプセル化される。そして、ＳＯＮＥＴフレームは、超高速伝送する光ファイバを介して、他のＡＤＭノード５０ａ〜５０ｄのいずれかに伝送（１対１伝送）され、又は他のＡＤＭノード５０ａ〜５０ｄのうちの自ＡＤＭノード以外のいずれかの複数のＡＤＭノードに伝送（１対Ｎ伝送）され、これにより、広域イーサネットが形成されている。
【００２２】
このフレーム伝送システム９９は、ＳＯＮＥＴフレームを伝送するリング伝送路５０ｆと、リング伝送路５０ｆに設けられたＡＤＭノード５０ａ〜５０ｄと、ＡＤＭノード５０ａ〜５０ｄのそれぞれに接続されたＬＡＮスイッチ４２ａ〜４２ｄと、ＬＡＮスイッチ４２ａに接続されたサーバ４１と、ＬＡＮスイッチ４２ｂ〜４２ｄに接続されたクライアント端末４３と、ＡＤＭノード５０ａ〜５０ｄに接続されたネットワーク制御装置９９ａとをそなえて構成されている。
【００２３】
（１）サーバ４１，クライアント端末４３
サーバ４１の一例は、多数のファイルを保持するものであり、多数のファイルは、それぞれ、ＶＬＡＮを用いて仮想的に分割された複数のグループ毎に共有されるようになっている。さらに、クライアント端末４３は、例えば、フレームの送受信機能を有するパソコン，ワークステーション又は無線回線（図示省略）を介して接続された携帯端末等である。
【００２４】
サーバ４１およびクライアント端末４３は、いずれも、送信するイーサネットフレームに、ＶＬＡＮＩＤと、送信元アドレス（Source Address：ＳＡ），送信先アドレス（Destination Address：ＤＡ）と、情報データとを挿入する機能を有する。
（２）ＬＡＮスイッチ４２ａ〜４２ｄ
（２−１）ＬＡＮスイッチ４２ａおよびＬＡＮスイッチ４２ｂ〜４２ｄの機能ＬＡＮスイッチ４２ａは、イーサネットフレームの入出力側の両方向に複数のポートを設け、サーバ４１又はＡＤＭノード５０ａからのイーサネットフレームを、それぞれ、ＡＤＭノード５０ａ又はサーバ４１に対して、スイッチ（ブリッジ）する（以下、ブリッジ機能と称する。）。また、ＬＡＮスイッチ４２ａは、サーバ４１からのイーサネットフレームに、各ＡＤＭノード５０ｂ〜５０ｄを識別するＶＬＡＮＩＤ（例えば１〜３）を挿入して出力する。
【００２５】
ここで、ＡＤＭノード５０ａへのブリッジ機能は、サーバ４１からの１個のイーサネットフレームをコピーしてＮ個（図１に示す例はＮが３の場合である。）のイーサネットフレームを生成し、Ｎ個のイーサネットフレームをＡＤＭノード５０ａに出力する。また、サーバ４１へのブリッジ機能は、ＡＤＭノード５０ａからのＮ個のイーサネットフレームを多重化して出力することを意味する。このＮ個のイーサネットフレームの多重とは、以下、特に断らない限り、ＶＬＡＮＩＤ＝１，２，…，Ｎのそれぞれを有するＮ種類のイーサネットフレームを、例えば１カ所のポートに出力することを意味する。
【００２６】
また、ＬＡＮスイッチ４２ｂ〜４２ｄは、いずれも、イーサネットフレームの入出力側の両方向に複数のポートを設け、複数のクライアント端末４３からの１個のイーサネットフレームをＮ個のイーサネットフレームにコピーしそのＮ個のイーサネットフレームをＡＤＭノード５０ｂ〜５０ｄに出力する機能を有するとともに、ＡＤＭノード５０ｂ〜５０ｄからのＮ個のイーサネットフレームを多重化して１又は複数のクライアント端末４３に出力する。
【００２７】
これにより、サーバ４１が、例えば３個のイーサネットフレーム（図１参照）をＬＡＮスイッチ４２ａに出力する。出力された３個のイーサネットフレームは、それぞれ、データＡ，Ｂ，Ｃと３種類のＶＬＡＮＩＤとを含む。ここで、各データＡ，Ｂ，ＣがＡＤＭノード５０ｂ〜５０ｄ宛の場合、ＡＤＭノード５０ａは、ＡＤＭノード５０ｂとの間において、予め割り当てられたＳＴＳパスＩＤを含むデータＡを送信する。そして、ＡＤＭノード５０ｂは、ＳＯＮＥＴフレームのうちの前記ＳＴＳパスＩＤを有するものを受信すると、ＳＴＳパスＩＤを削除して、データＡをクライアント端末４３に転送する。なお、データＢ，Ｃについても、データＡの転送方法と同一である。
【００２８】
（２−２）ＬＡＮスイッチ４２ａ〜４２ｄのフレーム送信部
図２は本発明の一実施形態に係るＬＡＮスイッチ４２ａのフレーム送信部の要部を示す図であって、この図２に示すフレーム送信部４４は、サーバ４１からのイーサネットフレームを送信するものであって、例えば４個の入力イーサネットポート（以下、入力ポートと称する。）１１０と、パケットバッファ（イーサネットフレームバッファ）１１１と、４個の出力バッファ１１４と、４個の出力イーサネットポート（以下、出力ポートと称する。）１１５と、ヘッダＦＩＦＯバッファ（Header First-In-First-Out buffer）１１１ｂと、ネットワークプロセッサ（Network Processor）１１２と、ルーティングテーブル１１３とをそなえて構成されている。そして、入力ポート１１０，パケットバッファ１１１，出力バッファ１１４，出力ポート１１５が１本の送信ラインを形成しており、また、４本の送信ラインは、ネットワークプロセッサ１１２およびルーティングテーブル１１３を共有している。
【００２９】
ここで、入力ポート１１０は、例えばサーバ４１又はクライアント端末４３等の複数の方路から、イーサネットフレームを入力されるものであり、パケットバッファ１１１はイーサネットフレームを一時的に保持するものであり、出力バッファ１１４は、出力フォーマットのイーサネットフレームを保持するものである。これらのパケットバッファ１１１，出力バッファ１１４が設けられることにより、後段の処理においてタイミングが調整される。
【００３０】
さらに、出力ポート１１５は、出力バッファ１１４に保持されたイーサネットフレームを出力するものである。また、ヘッダＦＩＦＯバッファ１１１ｂは先入れ先出し方式によりイーサネットフレームのヘッダを保持又は出力するものである。ルーティングテーブル１１３はルーティング経路等のルーティング情報を保持し、過去のルーティング結果を学習する学習テーブルとして機能している。ネットワークプロセッサ１１２は、ヘッダＦＩＦＯバッファ１１１ｂに保持された各ヘッダ領域に、ルーティングテーブル１１３にて学習されたルーティング経路を選択し、その選択したルーティング経路等のルーティング情報を書き込むものである。
【００３１】
図２に示すフレーム送信部４４におけるスイッチング方法をさらに詳述する。ヘッダとＶＬＡＮＩＤとデータとを有するイーサネットフレームが、入力ポート１１０から入力されると、ヘッダはヘッダＦＩＦＯバッファ１１１ｂに書き込まれ、また、ＶＬＡＮＩＤおよびデータは、いずれも、パケットバッファ１１１に書き込まれる。そして、ネットワークプロセッサ１１２は、パケットバッファ１１１に保持されたＶＬＡＮＩＤと、ヘッダＦＩＦＯバッファ１１１ｂの先頭のヘッダに含まれる送信先アドレスとを読み出して、４個の出力ポート１１５に振り分ける。これにより、１対４のスイッチング（以下、単にスイッチングと称する。）が行なわれる。
【００３２】
なお、ＬＡＮスイッチ４２ｂ〜４２ｄのフレーム送信部４４も、ＬＡＮスイッチ４２ａのフレーム送信部４４と同一構成なので、重複した説明を省略する。
（２−３）ＬＡＮスイッチ４２ａ〜４２ｄのフレーム受信部４５
図３は本発明の一実施形態に係るＬＡＮスイッチ４２ａのフレーム受信部４５の要部を示す図である。この図３に示すフレーム受信部４５は、ＡＤＭノード５０ａ（図１参照）からのイーサネットフレームを受信する４個の入力ポート１２０と、データおよびＶＬＡＮＩＤを含む受信したイーサネットフレームを一時的に保持する４個の入力バッファ１２１と、４個の入力バッファ１２１に保持されたイーサネットフレームについてヘッダ処理されたパケットを保持する４個のパケットバッファ１２５と、４個のパケットバッファ１２５に保持されたパケットを出力する４個の方路出力ポート（出力ポート）１２６と、ヘッダを保持するヘッダＦＩＦＯバッファ１２２とをそなえて構成されている。
【００３３】
また、入力ポート１２０と、入力バッファ１２１と、パケットバッファ１２５と、方路出力ポート１２６とが１本の受信ラインとして機能しており、また、４本の受信ラインは、ヘッダＦＩＦＯバッファ１２２，ネットワークプロセッサ１１２およびルーティングテーブル１１３をともに共有している。
なお、これら以外のもので上述したものと同一符号のものは同一のものを表す。また、ＬＡＮスイッチ４２ｂ〜４２ｄも、ＬＡＮスイッチ４２ａと同一構成であるので、重複した説明を省略する。
【００３４】
これにより、各入力ポート１２０からのイーサネットフレームは、それぞれ、入力バッファ１２１に書き込まれ、また、各イーサネットフレームのヘッダは、ヘッダＦＩＦＯバッファ１２２に書き込まれる。さらに、ネットワークプロセッサ１１２は、入力バッファ１２１およびヘッダＦＩＦＯバッファ１２２から、ＶＬＡＮＩＤおよびヘッダを読み出し、ルーティングテーブル１１３を参照して、フレームを出力すべき方路出力ポート１２６を選択する。そして、ネットワークプロセッサ１１２は、ＶＬＡＮＩＤ，ヘッダおよびデータからなるフレームをパケットバッファ１２５にて生成してその生成したパケットを、その転送方路に基づいて方路出力ポート１２６から出力する。
【００３５】
そして、これにより、例えばＡＤＭノード５０ａにおいてアド（Ａｄｄ）されたサーバ４１からのイーサネットフレームは、例えばＡＤＭノード５０ｂに伝送され、ＡＤＭノード５０ｂにて、伝送されたＳＯＮＥＴフレームがデカプセル化されて、方路出力ポート１２６から出力されるのである。
このようにして、ＡＤＭノード５０ｂにおいては、受信したイーサネットフレームが透過的に処理されて、３方向の方路出力ポート１２６に分岐され、広域のＶＬＡＮが実現される。
【００３６】
（３）ＶＬＡＮの概略的な説明
（３−１）ＶＬＡＮの一例
ＶＬＡＮは、ネットワークに接続されたクライアント端末４３を、そのクライアント端末４３の物理的な接続，構成等に関係なく仮想的な複数のグループのうちのいずれかのグループに属するようにグループ化したものである。また、複数のグループ毎にファイルが共有される。このグループ化の方法は、予め管理者が、各クライアント端末４３について、第１グループ，第２グループ，…，第Ｎグループのいずれかのグループに所属するように設定することにより行なう。従って、グループ化は、論理的な設定によって実現される。
【００３７】
図４はＶＬＡＮの一例を説明するための図である。この図４に示すＶＬＡＮ４９は、例えば企業等のネットワークであって、本社のグループ（ネットワーク）５３と、支社Ａのグループ（ネットワーク）５１と支社Ｂのグループ（ネットワーク）５２とをそなえて構成されている。
このグループ５３は、ＶＬＡＮをサポートするＬＡＮスイッチ５４，営業部のクライアント端末５３ａ，５３ｂ，研究部のクライアント端末５３ｃと、営業部又は研究部に属さないクライアント端末５３ｄとを有する。また、グループ５１は、ＶＬＡＮをサポートするＬＡＮスイッチ５６，営業部のクライアント端末５１ａ，研究部のクライアント端末５１ｂ，５１ｃを有する。さらに、グループ５２は、ＶＬＡＮをサポートするＬＡＮスイッチ５６，営業部のクライアント端末５２ａ，５２ｂおよび研究部のクライアント端末５２ｃを有する。なお、ＬＡＮスイッチ５４，５５，５６は、それぞれ、ＬＡＮスイッチ４２ａ〜４２ｄと同一機能を有する。各クライアント端末５３ａ，５３ｂ，５３ｃ，５３ｄおよび５１ａ，５１ｂ，５１ｃおよび５２ａ，５２ｂ，５２ｃは、いずれも、クライアント端末４３と同一機能を有する。
【００３８】
ここで、ＬＡＮスイッチ５４，５５および５６が、通常のスイッチ機能を発揮する場合、ＬＡＮスイッチ５４は、各クライアント端末５３ａ〜５３ｄ，５１ａ〜５１ｃおよび５２ａ〜５２ｃを、全て同一ネットワークに属すると認識し、また、各クライアント端末５３ａ〜５３ｄ，５１ａ〜５１ｃおよび５２ａ〜５２ｃは相互に通信可能である。このため、管理者は、クライアント端末５３ａ，５３ｂ，５１ａおよび５２ａを営業グループに設定し、クライアント端末５３ｄ，５１ｂ，５１ｃおよび５２ｃを研究グループに設定する。
【００３９】
これにより、営業グループに属するクライアント端末５３ａ，５３ｂ，５１ａおよび５２ａは相互に通信でき、また、これらのクライアント端末４３から送信されたブロードキャストフレームはクライアント端末５３ａ，５３ｂ，５１ａおよび５２ａのみにブロードキャストされる。研究グループに属する５３ｄ，５１ｂ，５１ｃおよび５２ｃも相互に通信でき、また、これらのクライアント端末４３から送信されたブロードキャストフレームはクライアント端末５３ｄ，５１ｂ，５１ｃおよび５２ｃのみにブロードキャストされる。
【００４０】
図１に示すクライアント端末４３についても、管理者による設定によって予めグループ化され、グループ内の相互通信およびブロードキャストが実現される。これに対して、クライアント端末５３ａ〜５３ｄと、クライアント端末５１ａ〜５１ｃと，クライアント端末５２ｂ，５２ｃとにおける通信はレイヤ３機能を有するルータ（図示省略）を介さなければならない。この理由は、ＶＬＡＮのグループ化は、レイヤ２のＭＡＣフレームが送受信可能な範囲において行なわれているからである。
【００４１】
従って、図４に示すＶＬＡＮ４９およびフレーム伝送システム９９（図１参照）は、グループ化によって、ブロードキャストフレームを物理的に接続されたクライアント端末５３ａ〜５３ｄ，５１ａ〜５１ｃ，５２ａ〜５２ｃ（以下、クライアント端末５３ａ等と称する。）およびクライアント端末４３に対する中継が不要となり、特定のグループのみに中継することが可能となる。これにより、ネットワークの負荷が軽減され、セキュリティが向上する。
【００４２】
（３−２）１対１接続および１対Ｎ接続
また、図４に示すクライアント端末５３ａ等とＬＡＮスイッチ５４〜５６との間が１対１接続の場合、管理者は、ＬＡＮスイッチ５４〜５６のポートにＶＬＡＮＩＤを割り当てる必要はない。つまり、各クライアント端末５３ａ等に入力するイーサネットフレームのＶＬＡＮＩＤは同一（同一種類）であり、この場合、タグも不要である。
【００４３】
一方、ＬＡＮスイッチ５４〜５６と、クライアント端末５３ａ等との間が１対Ｎ接続の場合、ＬＡＮスイッチ５４は、ＬＡＮスイッチ５５，５６の双方と接続され、かつＬＡＮスイッチ５５は、グループ５１、５３および５２に接続されている。このため、ＬＡＮスイッチ５４のポート２〜４において送受信されるイーサネットフレームは、クライアント端末５３ｄ、クライアント端末５１ａおよびクライアント端末５２ａの３種類のＶＬＡＮＩＤを有する。従って、ＬＡＮスイッチ５４のポート２〜４は、いずれも、ポート５およびＬＡＮスイッチ５５を介して、ＶＬＡＮＩＤの異なる３種類のイーサネットフレームが流入される。この場合、ＬＡＮスイッチ５４は、３種類のＶＬＡＮＩＤを有するイーサネットフレームを多重化し、その多重化したイーサネットフレームをポート２からクライアント端末５３ａに対して出力する。そして、クライアント端末５３ａは、３種類のＶＬＡＮＩＤが多重化されたイーサネットフレームから、各ＶＬＡＮＩＤを分離するのである。
【００４４】
これらの１対１接続および１対Ｎ接続は、図１に示すフレーム伝送システム９９においても同様である。
このように、グループ化は、１台のスイッチングハブを用いた場合に限られずに、複数のスイッチングハブに属するポートをも用いることができ、また、図４に示すポート３のように複数のグループに属するように重複設定可能である。
【００４５】
（３−３）ポート方式を用いたＶＬＡＮＩＤの割り当て
個々のイーサネットフレームおよびＶＬＡＮＩＤの割り当てルールは種々のものが知られている。このＶＬＡＮＩＤの割り当てルールの一つが、ＬＡＮスイッチのポート毎に一つのＶＬＡＮＩＤを管理者が付与する方法（ポート方法）である。
【００４６】
図４において、ＬＡＮスイッチ５４のポート番号２、３、４を有するポートは、それぞれ、グループ５３に属するクライアント端末５３ａ、５３ｂおよび５３ｃに接続されており、また、ポート番号５、６を有するポートは、それぞれ、ＬＡＮスイッチ５５、ＬＡＮスイッチ５６に接続されている。管理者は、例えばポート数６のＬＡＮスイッチ５４について、ポート１をグループ５２に割り当てし、また、ポート２，３をグループ５３に、ポート５，６を、それぞれ、ＬＡＮスイッチ５５，５６に割り当てる。すなわち、管理者は、ポートを単位としてグループを形成する。
【００４７】
これにより、管理者が、それぞれ、ＶＬＡＮをサポートする設定に変更した場合、ＬＡＮスイッチ５４〜５６によって、設定によるＶＬＡＮグループが形成され、サーバおよびファイルを共有できる。
このように、ＶＬＡＮ４９は、物理的には単一ネットワークのようにみえるが、実際は仮想的に３種類の独立ネットワークからなる。
【００４８】
（４）ＡＤＭノード５０ａ〜５０ｄ
ＡＤＭノード５０ａ〜５０ｄ（図１参照）は、ＳＯＮＥＴを適用されたＳＯＮＥＴ多重伝送装置であって、高速かつ大容量のデータを送受信でき、ＡＴＭ（非同期転送モード）交換と、ＡＴＭ多重と、低速データの多重とが、それぞれ、同一のＡＤＭノード５０ａ〜５０ｄを用いて可能である。さらに、各ＡＤＭノード５０ａ〜５０ｄは、ＳＯＮＥＴパスの帯域切り替えが可能であり、複数の回線インターフェースをサポートできる。
【００４９】
（５）ＳＯＮＥＴパスとＳＴＳパスＩＤとの設定
ＳＯＮＥＴパスの設定は、管理者がＡＤＭノード５０ａ〜５０ｄのうちの１台（例えば、ＡＤＭノード５０ａ）に対して、手動によりまたはソフトウェアを用いて行なわれる。
具体的には、管理者は、ネットワーク制御装置９９ａ（図１参照）を介して、ＡＤＭノード５０ａのＳＯＮＥＴパスを設定し、これにより、ＡＤＭノード５０ａのスイッチファブリック（ＳＯＮＥＴインターフェース装置，ＳＴＳ−ＳＦ又はＳＴＳスイッチとも称する。）１２に対して、例えばタイムスロットの順番に関する情報を通知する。ここで、ネットワーク制御装置９９ａは、フレーム伝送システム９９の回線管理および障害監視および各種の制御を行なうものである。
【００５０】
また、ＳＴＳパスＩＤの設定は、ＳＯＮＥＴパスの設定の一部として、管理者による手動またはソフトウェアを用いて自動的に行なわれる。この設定されたＳＴＳパスＩＤは、ＡＤＭノード５０ａ内部の制御インターフェース部９９ｂにて受信され、ＡＤＭノード５０ａ内部の各要素のＬＳＩのレジスタ等（例えば、後述するレジスタ１１ａ，１１ｂ）に書き込まれる。
【００５１】
（６）ＡＤＭノード５０ａ〜５０ｄの構成
図５は本発明の一実施形態に係るＡＤＭノード５０ａ〜５０ｄのブロック図である。この図５に示すＡＤＭノード５０ａ〜５０ｄは、いずれも、一例として２０台（＃１〜＃２０）のイーサネットインターフェース部１０と、制御インターフェース部９９ｂと、制御部１１と、複数のスイッチファブリック（ＳＴＳ−ＳＦ）１２とをそなえて構成されている。
【００５２】
ここで、イーサネットインターフェース部１０の機能は、例えばインターフェースカードにより実現され、ラインインターフェースカード＃１〜＃１０と、トリビュータリインターフェースカード＃１１〜＃２０とからなる。そして、各ラインインターフェースカード＃１〜＃１０と、トリビュータリインターフェースカード＃１１〜＃２０との間を、これらのインターフェースカードの帯域に応じた数のＳＴＳ−１フレームが伝送し、これにより、スイッチファブリック１２を介して、ＳＴＳ−１単位で接続されるようになっている。
【００５３】
制御インターフェース部９９ｂは、ネットワーク制御装置９９ａからのＶＬＡＮＩＤを受信するものである。
また、制御部１１は、ラインインターフェースカード＃１〜＃１０およびトリビュータリインターフェースカード＃１１〜＃２０のそれぞれと接続され各インターフェースカード＃１〜＃２０の動作を制御し、制御インターフェース部９９ｂからのＶＬＡＮＩＤを保持可能なものであって、レジスタ（第１保持部）１１ａ，レジスタ（第２保持部）１１ｂを有する。
【００５４】
そして、複数のスイッチファブリック１２は、それぞれ、入力されたイーサネットフレームをＳＯＮＥＴフレームに多重するとともに、ＳＯＮＥＴフレームからイーサネットフレームを分離するものであり、ＳＴＳ−１単位に応じて設けられている。これらのスイッチファブリック１２は、それぞれ、ラインスイッチ１３ａ，１３ｂと、スイッチ部（ＢＬＳＲスイッチ＆ブリッジ）１４と、タイムスロットインターチェンジ（ＴＳＩ）１５とをそなえて構成されている。
【００５５】
ここで、ラインスイッチ１３ａ，１３ｂは、それぞれ、各インターフェースカード＃１〜＃２０から出力されたイーサネットフレーム（電気フレーム）をＳＯＮＥＴフレーム（光フレーム）に変換するものであって、例えばインターフェースカードによりこの機能は実現される。これにより、イーサネットインターフェースカード＃１〜＃２０のイーサネットフレームが、ラインスイッチ１３ａ，１３ｂのインターフェースカード（例えばＯＣ−４８ユニット）を経由してＳＯＮＥＴのリング伝送路５０ｆに乗り替えられる。
【００５６】
また、スイッチ部１４は、ラインスイッチ１３ａ，１３ｂから入力されたＳＯＮＥＴフレームを、ＢＬＳＲ（Bidirectional Line Switch Ring：双方向回線交換リング）のスイッチング方式に基づいてスイッチするものである。リング伝送路５０ｆは、ＡＤＭノード５０ａ〜５０ｄの間をそれぞれ現用光ファイバと予備用光ファイバとを用いて接続し、スイッチ部１４は、これらの光ファイバが切断等したときにＳＯＮＥＴフレームの伝送方向を切り替えるのである。具体的には、スイッチ部１４は、現用および予備用の切り替え、伝送方向の変更（例えば、左廻りから右廻りに変更）等を実施して、ＳＯＮＥＴフレームを破棄せずに、確実に伝送するために回線切り替えを行なう。
【００５７】
また、タイムスロットインターチェンジ１５は、スイッチ部１４にてスイッチされたＳＯＮＥＴフレームをリング伝送路５０ｆにアドするものである。具体的には、タイムスロットインターチェンジ１５は、入力フレーム列に含まれる例えば１５個のタイムスロット１〜１５のうちの２個のタイムスロット４，１２の順番（フレーム列の先頭からの相対的な位置）を入れ替えて、そのタイムスロットの順番４，１２を入れ替えた後のフレーム列を出力フレーム列として出力する。スイッチ部（ＳＴＳ−ＳＷ）として機能している。また、タイムスロットインーチェンジ１５は、二重化されており、イーサネットインターフェース部１０以外の装置等（例えばＳＯＮＥＴのＯＣ−３インターフェース部）においても同様の構成である。
【００５８】
また、レジスタ１１ａは、イーサネットフレームの特定ＶＬＡＮＩＤ（予め設定された特定のＶＬＡＮＩＤ）とＳＯＮＥＴフレームの特定ＳＴＳパスＩＤ（予め設定された特定のＳＴＳパスＩＤ）とを対応付けて保持するものであり、このレジスタ１１ａに保持された特定のＶＬＡＮＩＤは、以下に述べるイーサネットインターフェース部１０の振り分け処理部２０によって参照されるようになっている。そして、レジスタ１１ｂは、ＳＯＮＥＴフレームの特定ＳＴＳパスＩＤとイーサネットフレームの特定ＶＬＡＮＩＤとを対応付けて保持するものである。以下、レジスタ１１ａ，１１ｂの保持内容は、同一のものとして説明する。
【００５９】
次に、イーサネットインターフェース部１０の構成について図６等を用いて詳述する。
（７）イーサネットインターフェース部１０の構成
図６は本発明の一実施形態に係るイーサネットインターフェース部１０のブロック図である。この図６に示すイーサネットインターフェース部１０は、通常のイーサネットとＳＯＮＥＴパスとの１対Ｎ（ポイントトゥマルチポイント：Point to Multipoint）変換をするものであって、１ギガビットイーサネットカード１０ｅと、光電気変換部１０ｄと、振り分け処理部２０と、第１ＳＴＳインターフェース部（ＳＴＳＩＮＦ−Ｒ）１０ａと、第２ＳＴＳインターフェース部（ＳＴＳＩＮＦ−Ｔ）１０ｂと、イーサネットインターフェース多重化部３０と、セレクタ１０ｃとをそなえて構成されている。
【００６０】
ここで、第１ＳＴＳインターフェース部１０ａは、例えばＳＴＳ−ｃ（１５０Ｍｂｐｓ），ＳＴＳ−１２ｃ（６００Ｍｂｐｓ）等のフレーム形式を有するイーサネットフレームをＳＴＳ−１等のＳＴＳフレームのペイロードにマッピングするものであり、複数のＳＴＳフレーム変換回路（図示省略）を有する。これらのＳＴＳフレーム変換回路と複数のスイッチファブリック１２（図５参照）との間における転送容量は、物理的には２．５Ｇｂｐｓ（２４８８．３２Ｍｂｐｓ）であり、オーバーヘッドを除いたペイロード部分については２．４Ｇｂｐｓである（ＯＣ−４８分に相当する。）。
【００６１】
ここで、ＳＴＳ−1は、物理的には４８本分のパスを有するが、ＳＴＳ−1を３本用いて、ＳＴＳ−３ｃ（ＳＴＳ−１×３コンカチネーション［連結］）として用いることもできる。また、ＳＴＳ−1は、５２Ｍｂｐｓに相当し、ＳＴＳ−３ｃは１５６Ｍｂｐｓに相当する。
そして、第１ＳＴＳインターフェース部１０ａは、ＶＬＡＮＩＤに応じて、フレーム宛先を分離し、分離した例えば３方路のそれぞれについて、ＳＴＳ−1またはＳＴＳ−３ｃ，ＳＴＳ−１２ｃ等のＳＴＳフレームのペイロードにイーサネットフレームをマッピングする。
【００６２】
これにより、図５に示すスイッチ部（ＳＴＳ−ＳＷ）１５と、イーサネットインターフェース部１０との間は、例えば３本のＳＴＳパスが割り当てられるのである。そして、スイッチファブリック（ＳＴＳ−ＳＦ）１２は、リング伝送路５０ｆに各イーサネットインターフェース部１０のＳＴＳパスを多重してアド（Ａｄｄ）する。
【００６３】
一方、各ＡＤＭノード５０ａ〜５０ｄ（図１参照）において、リング伝送路５０ｆからの自局宛のＳＯＮＥＴフレームはセレクタ１０ｃにて選択され、その選択されたＳＯＮＥＴフレームは、第２ＳＴＳインターフェース部１０ｂにてドロップされ、ドロップされたＳＯＮＥＴフレームがイーサネットインターフェース多重化部３０に入力される。
【００６４】
また、１ギガビットイーサネットカード１０ｅ（図６参照）は、イーサネットフレームを送受信するインターフェースカードであり、光電気変換部１０ｄは、本実施形態においては、例えばギガビットイーサネットを用いており、１０００Ｂａｓｅ−ＳＸ又は１０００Ｂａｓｅ−ＬＸ等の光インターフェースである。なお、電気の１０００Ｂａｓｅ−Ｔ等を用いることもできる。
【００６５】
（７−１）イーサネットインターフェース部１０の振り分け処理部２０の構成振り分け処理部２０は、光電気変換部１０ｄからのイーサネットフレームをカプセル化するものであって、入力された複数のイーサネットフレームの物理レイヤについて終端する第１物理終端部２０ａと、第１物理終端部２０ａにて終端されたイーサネットフレームのＭＡＣレイヤについて終端する第１フレーム終端部２０ｂと、入力された複数のイーサネットフレームのＶＬＡＮＩＤのうちのレジスタ１１ａにて保持された特定ＳＴＳパスＩＤに対応する特定ＶＬＡＮＩＤを有するイーサネットフレームを多重化する複数の多重化部１７と、イーサネットフレームの伝送が切断されたことを検出する断検出部１９ａとをそなえて構成されている。
【００６６】
多重化部１７についてさらに詳述する。
複数の多重化部１７は、それぞれ、ＳＴＳパスＩＤに対応して設けられ、フィルタリング部１７ａと、バッファ１７ｂと、カプセル化部１７ｃと、ＩＤ挿入部（ＩＤ−ＩＮＳ）１７ｄと、フラグ挿入部（ＩＤ−ＩＮＳ）１７ｅとをそなえて構成されている。ここで、フィルタリング部１７ａは、複数のイーサネットフレームのうちの特定ＶＬＡＮＩＤを有するイーサネットフレームを通過させるものであり、このフィルタリング機能は、例えばＬＳＩ等のハードウェアにより実現される。また、バッファ１７ｂは、フィルタリング部１７ａを通過したイーサネットフレームを一時的に保持するものである。
【００６７】
さらに、カプセル化部１７ｃは、フィルタリング部１７ａを通過したイーサネットフレーム（ＭＡＣフレーム）に含まれる情報データをカプセル化するものである。すなわち、ＭＡＣフレームに含まれる実体的な情報データが抽出されるのである。
（７−２）イーサネットフレームのフォーマット
ＩＤ挿入部１７ｄによるＶＬＡＮＩＤの挿入は、このＶＬＡＮＩＤを含むイーサネットフレームを送信する側によって行なわれる。例えば図４において、ＬＡＮスイッチ４２ａがサーバ４１に送信するイーサネットフレームについて、ＬＡＮスイッチ４２ａがＶＬＡＮＩＤを挿入し、また、サーバ４１がＬＡＮスイッチ４２ａに送信するイーサネットフレームについては、サーバ４１がＶＬＡＮＩＤ（VLAN Protocol IDentifier）を挿入する。
【００６８】
図７（ａ）は本発明の一実施形態に係るイーサネットフレームのフォーマットを示す図であり、この図７（ａ）に示すイーサネットのＭＡＣフレームは、実体データ領域にＶＬＡＮＩＤが書き込まれる。また、ＶＬＡＮＩＤとともに、送信先アドレス（Destination Address），送信元アドレス（Source Address）とを有し、これにより、コネクション概念のないＭＡＣフレームに、仮想的なパス概念が導入される。さらに、ＡＤＭノード５０ａ〜５０ｄは、コネクション型サービスを提供でき、コネクション毎にセキュリティが確保される。
【００６９】
なお、ＶＬＡＮＩＤ等のほかに、このイーサネットフレームには、プリアンブル（Preamble），フレーム開始（Start of Frame Delimiter），タグ制御情報（Tag Control Info），長さ又はタイプ（Length又はType），ＭＡＣクライアントデータ（MAC Client Data），パッド領域（PAD），誤り検出ビット（FCS）の各領域が設けられ、通常のパケット通信もサポートされている。従って、既存のプロトコルをそのまま利用でき、また、各種のクライアント端末４３および装置の設計変更をともなわずに、汎用的な通信が可能となっている。
【００７０】
なお、オクテット（Octet）は８ビットを表し、ＭＳＢ（Most Significant Bit），ＬＳＢ（Least Significant Bit）は、それぞれ、最上位ビット，最下位ビットを表す。
（７−３）ＩＤ挿入部１７ｄ
ＩＤ挿入部１７ｄ（図６参照）は、カプセル化部１７ｃにてカプセル化されたイーサネットフレーム（ＭＡＣフレーム）に対向する自局以外のフレーム受信先の各対向ＡＤＭノード５０ｂ〜５０ｄのＳＴＳパスＩＤを挿入するものである。各ＳＴＳパスＩＤが挿入されることによって、ＳＯＮＥＴフレームに変換されたイーサネットフレームデータが、対向ＡＤＭノード５０ｂ〜５０ｄに確実に送信される。また、対向ＡＤＭノード５０ｂ〜５０ｄは、受信したＳＯＮＥＴフレームに含まれるイーサネットフレームについて、指定ＶＬＡＮポートＩＤを有するもののみをフィルタリングして受信フレームを識別する。
【００７１】
なお、フラグ挿入部１７ｅは、カプセル化部１７ｃにてカプセル化されたイーサネットフレーム（ＭＡＣフレーム）に、入力側のイーサネットフレームの伝送障害を表すフラグを挿入するものである。このフラグが、フレームのカプセリングの際に挿入され、送信側のＡＤＭノード５０ａにおいて発生したイーサネットの障害が、対向ＡＤＭノード５０ｂ〜５０ｄに通知される。
【００７２】
これにより、１ギガビットイーサネットカード１０ｅからの多重化されたイーサネットフレームは、ＳＴＳパスＩＤに応じて、複数の多重化部１７にマルチキャストされる。この多重化されたイーサネットフレームは、例えばＮ種類のＳＴＳパスＩＤについて多重化されている。そして、マルチキャストされたイーサネットフレームは、それぞれ、多重化部１７に入力される。
【００７３】
ここで、１本の多重化部１７に着目すると、マルチキャストされたイーサネットフレームは、ＶＬＡＮＩＤが定義されたフィルタリング部１７ａにて識別され、ＶＬＡＮＩＤがレジスタに保持したフィルタ用のＩＤと一致したフレームだけがこのフィルタリング１７ａを通過する。また、フィルタリング部１７ａは、フィルタ用のＶＬＡＮＩＤとフレームＶＬＡＮＩＤとが異なる場合はそのフレームを破棄する。そして、カプセル化部１７ｃにおいて、各ＭＡＣフレームは、カプセル化され、ＩＤ挿入部１７ｄにおいて、対向ＡＤＭノード５０ｂ〜５０ｄのＳＴＳパスＩＤを付与される。また、１ギガビットイーサネットインターフェース１０ｅ側に障害が発生した場合には、多重化部１７は、断検出部１９ａから障害発生を通知され、フラグ挿入部１７ｅにおいて、フラグがＭＡＣフレームに挿入される。
【００７４】
そして、Ｎ種類の多重化部１７は、それぞれ、ＳＴＳパスＩＤを付与されたイーサネットフレームを出力する。従って、１ギガビットイーサネットインターフェース１０ｅ側から入力された多数のイーサネットフレームは、Ｎ種類の各方路に分離され、この分離された後に、第１ＳＴＳインターフェース部１０ａにてＳＯＮＥＴフレームにマッピングされるのである。また、各方路に分離された後は、スイッチファブリック１２において、ライン側（ここではリング側）のどの方路に多重するかを設定し、リング伝送路５０ｆを介して伝送する。
【００７５】
このように、カプセル化部１７ｃの前段において、ＶＬＡＮＩＤに基づいてフィルタリングされ、多重化されたＭＡＣフレームは、ＳＴＳパスＩＤにより分離され、ポートＩＤとフラグが追加された後、ＳＯＮＥＴフレームに変換される。
（７−４）ＳＯＮＥＴフレームのフォーマット
図７（ｂ）は本発明の一実施形態に係るＳＯＮＥＴフレームのフォーマットを示す図である。この図７（ｂ）に示すＳＯＮＥＴフレームは、ＳＴＳパスＩＤ，フラグ（Flag），アドレス（Address），制御情報（Control）を挿入され、また、ＭＡＣフレームに含まれる長さ又はタイプ（Length or Type），ＭＡＣクライアントデータ（MAC Client Data），パッド領域（PAD），誤り検出ビット（FCS）等がＳＯＮＥＴフレームにマッピングされる。
【００７６】
また、ＳＯＮＥＴパスは、送信側の装置又はクライアント端末４３と、受信側の装置又はクライアント端末４３とが、１対１に接続されたものであるので、各ＳＯＮＥＴパスは、１個のＩＤを割り当てられている。
（７−５）セレクタ１０ｃおよび第２ＳＴＳインターフェース部１０ｂ
セレクタ１０ｃ（図６参照）はスイッチファブリック１２からの多重化されたイーサネットフレームのうちの自局宛のものを選択するものである。
【００７７】
また、第２ＳＴＳインターフェース部１０ｂは、セレクタ１０ｃにて選択された多重化されたイーサネットフレームを分離し、分離したイーサネットフレームをイーサネットインターフェース多重化部３０に出力するのである。
（７−６）イーサネットインターフェース部１０のイーサネットインターフェース多重化部３０の構成
イーサネットインターフェース多重化部３０は、複数の分離部１８と、イーサネット多重化部３０ａと、第２フレーム終端部３０ｂと、第２物理終端部３０ｃと、論理回路３０ｄとをそなえて構成されている。
【００７８】
分離部１８は、複数のイーサネットフレームを多重化されたＳＯＮＥＴフレームのうちのスイッチファブリック１２（図５参照）にて選択されて電気イーサネットフレームに変換されたフレームから各イーサネットフレームとＳＯＮＥＴフレームのＳＴＳパスＩＤとを抽出し、抽出した複数のイーサネットフレームに、レジスタ１１ｂ（図５参照）にて保持されたＳＴＳパスＩＤに対応するＶＬＡＮＩＤを付与するものである。
【００７９】
この分離部１８は、ＳＯＮＥＴフレームに含まれるフラグを検出するフラグ検出部１８ａと、ＳＯＮＥＴフレームに含まれるＳＴＳパスＩＤと、レジスタ１１ｂにて保持された特定の特定ＶＬＡＮＩＤとに基づいて特定ＶＬＡＮＩＤを有するイーサネットフレームだけを通過させるＩＤ検出部（ＩＤ−ＭＳＫ［ID−Mask］）１８ｂと、検出されたＶＬＡＮＩＤを有するＳＯＮＥＴフレームをデカプセル化するデカプセル化部１８ｃと、デカプセル化部１８ｃにてデカプセル化されたイーサネットフレームを一時的に保持するバッファ１８ｄと、フラグ検出部１８ａにて検出されたフラグを保持するフラグ保持部１８ｅ（このフラグ保持部１８ｅはフラグ検出部１８ａに設けてもよい。）とをそなえて構成されている。
【００８０】
これにより、第１のＡＤＭノード５０ａ〜５０ｄの多重化部１７が、入力側のイーサネットフレームの伝送障害を表すフラグをＳＯＮＥＴフレームに挿入するとともに、第２のＡＤＭノード５０ａ〜５０ｄの分離部１８が、受信したＳＯＮＥＴフレームを変換した電気イーサネットフレームからフラグの検出により、送信すべきイーサネットフレームの出力を停止する
また、イーサネット多重化部３０ａは、分離部１８にて付与された複数のイーサネットフレームをイーサネットインターフェースに多重するものである。すなわち、カプセル化されたイーサネットフレームは、イーサネットインターフェースに多重される。
【００８１】
また、第２フレーム終端部３０ｂは、イーサネットインターフェース多重化部３０にてデカプセル化されたイーサネットフレームについてＭＡＣレイヤの送信処理するものである。また、論理回路３０ｄは、論理和回路であって、フラグ保持部１８ｅに保持されたフラグの有無を表す例えばビット１又は０と接続されてこれらのフラグ保持部１８ｅのビットの論理和を第２物理終端部３０ｃに入力するものである。さらに、第２物理終端部３０ｃは、第２フレーム終端部３０ｂにて処理されたイーサネットフレームについて物理レイヤ処理し、また、障害フラグの有無に応じた回線制御を行なうものである。第２物理終端部３０ｃの回線制御は、論理回路３０ｄからの論理和がフラグ有りを示すものである場合には、１ギガビットイーサネットカード１０ｅからのフレーム送信を停止（シャットダウン）させるものである。
【００８２】
これにより、対向ＡＤＭノード５０ｂ〜５０ｄにてイーサネットフレームがカプセル化される。このときに、ＡＤＭノード５０ａは、ＳＯＮＥＴフレームに変換したデータを確実に対向ＡＤＭノード５０ｂ〜５０ｄに送信するため、各対向ＡＤＭノード５０ｂ〜５０のＳＯＮＥＴパスにＳＴＳパスＩＤを挿入し、ＳＯＮＥＴフレームを送信する。
【００８３】
そして、対向ＡＤＭノード５０ｂ〜５０ｄのイーサネットインターフェース多重化部３０は、指定されたＶＬＡＮポートＩＤのみ通過するように受信フレームを識別する。また、イーサネットインターフェース多重化部３０は、ＳＯＮＥＴフレームを変換されて得られた電気イーサネットフレームからポートＩＤとフラグとをいずれも削除し、カプセリングの解除されたフレームを、イーサネットフレームに変換し、ギガビットイーサネットインターフェース１０ｅに多重化して伝送する。
【００８４】
また、フラグ挿入部１７ｅによって、イーサネット側の入力がダウンしていることを示すフラグが付与され、対向ＡＤＭノード５０ｂ〜５０ｄのいずれかのＡＤＭノードに入力される。そして、対向側のイーサネットインターフェース多重化部３０は、フラグ検出部１８ａにおける検出により、フラグが挿入されていることを検出すると、自動的にイーサネット側出力をシャットダウンする。一方、フラグが挿入されていない場合はそのまま伝送する。
【００８５】
なお、ＡＤＭノード５０ｂから自局以外のＡＤＭノード５０ａ，５０ｃ，５０ｄに対してイーサネットフレームを送信する場合、およびＡＤＭノード５０ｃ〜５０ｄからＡＤＭノード５０ａ〜５０ｄのうちの自局以外のＡＤＭノードに対してイーサネットフレームを送信する場合についても、ＡＤＭノード５０ａからＡＤＭノード５０ｂ〜５０ｄに対する場合と同一であるので、重複した説明を省略する。
【００８６】
（７−７）本発明のフレーム伝送システム９９
従って、本発明のフレーム伝送システム９９は、イーサネットインターフェース部１０とスイッチファブリック１２とを有するＡＤＭノード５０ａ〜５０ｄをそなえている。そして、ＡＤＭノード５０ａ〜５０ｄのうちのＡＤＭノード５０ａが、イーサネットフレームのＶＬＡＮＩＤとＳＯＮＥＴフレームのＳＴＳパスＩＤとを対応付けて保持するレジスタ１１ａと、入力された複数のイーサネットフレームのＶＬＡＮＩＤのうちのレジスタ１１ａにて保持されたＳＴＳパスＩＤに対応するＶＬＡＮＩＤを有する複数のイーサネットフレームを多重化する多重化部１７とをそなえるとともに、ＡＤＭノード５０ａ〜５０ｄのうちのＡＤＭノード５０ｂが、ＳＯＮＥＴフレームのＳＴＳパスＩＤとイーサネットフレームのＶＬＡＮＩＤとを対応付けて保持するレジスタ１１ｂと、ＳＯＮＥＴフレームに起因するフレームから各イーサネットフレームとＳＯＮＥＴフレームのＳＴＳパスＩＤとを抽出し、抽出した各イーサネットフレームに、レジスタ１１ｂにて保持されたＳＴＳパスＩＤに対応するＶＬＡＮＩＤを付与する分離部１８とをそなえて構成されたことになる。なお、レジスタ１１ａ，レジスタ１１ｂは、ともに同一内容を保持している。
【００８７】
（８）作用説明
上述のごとく構成された本発明の一実施形態のフレーム伝送システム１００におけるＶＬＡＮＩＤフィルタリングおよびＳＯＮＥＴパスへのフレーム転送方法について詳述する。
本発明のフレーム伝送方法は、例えば図６に示すイーサネットフレームとＳＯＮＥＴフレームとを変換可能なインターフェース装置１０におけるフレーム伝送方法である。
【００８８】
インターフェース装置１０は、複数のイーサネットフレームを入力され、複数のイーサネットフレームのうちの特定ＶＬＡＮＩＤを有するイーサネットフレームを通過させ、通過させたイーサネットフレームを伝送用ＳＯＮＥＴフレームのＳＴＳパスＩＤ領域に多重化する。
これにより、イーサネットフレームは、目的の対向伝送装置に確実に伝送され、かつ、ＬＡＮスイッチ４２ａ〜４２ｄにおけるアドレス学習が不要となるので、ハードウェアの負荷が減少し、また、装置機構が簡素化し、イーサネットインターフェース部１０の性能向上に寄与する。
【００８９】
また、本発明のフレーム伝送方法は、複数のイーサネットフレームを多重化されたＳＯＮＥＴフレームを受信し、多重化されたＳＯＮＥＴフレームを変換した電気イーサネットフレームから各イーサネットフレームとＳＯＮＥＴフレームのＳＴＳパスＩＤとを抽出し、抽出した各イーサネットフレームに、抽出したＳＴＳパスＩＤに対応するＶＬＡＮＩＤを付与する。これにより、障害時の自動シャットダウン機能により、装置に対する信頼度が向上する。
【００９０】
また、図１において、ＬＡＮスイッチ４２ａに接続したＡＤＭノード５０ａは、イーサネットのＭＡＣフレームにはそれぞれＶＬＡＮＩＤ＝１、ＶＬＡＮＩＤ＝２、ＶＬＡＮＩＤ＝３が付与されている。このＡＤＭノード５０ａ〜５０ｄにおいて、ＶＬＡＮＩＤによるフィルタリングをした後に、ＳＯＮＥＴフレームにカプセリングし、ヘッダに挿入したＶＬＡＮＩＤによるＳＴＳパスＩＤを識別する。図１において、ＶＬＡＮＩＤ＝１のフレーム（データＡ）はＳＴＳパスＩＤ＝１のパス（ＳＴＳ−３ｃ）を通りＬＡＮスイッチ４２ｂに伝送される。同様に、ＶＬＡＮＩＤ＝２のフレーム（データＢ）はＳＴＳパスＩＤ＝２のパス（ＳＴＳ−３ｃ×２）を通りＬＡＮスイッチ４２ｃへ、ＶＬＡＮＩＤ＝３のフレーム（データＣ）は、ＳＴＳパスＩＤ＝３のパス（ＳＴＳ−１）を通ってＬＡＮスイッチ４２ｄへ伝送される。
【００９１】
従って、イーサネットフレームに書き込まれたＶＬＡＮＩＤが識別され、指定したＳＴＳパスＩＤに等しいＶＬＡＮＩＤをもつフレームだけをＳＴＳパスＩＤにマッピングされる。
このように、フレームは確実にＬＡＮスイッチ４２ａ〜４２ｄにて受信可能となる。
【００９２】
さらに、このように、各ＡＤＭノード５０ａ〜５０ｄは、各データフレーム内のＶＬＡＮＩＤだけを使用して、ＭＡＣアドレス学習をすることなく、ＭＡＣフレームを各ポートに振り分けすることが可能である。
このようにして、１対Ｎの伝送が可能となる。
（Ｂ）その他
本発明は上述した実施態様に限定されるものではなく、本発明の趣旨を逸脱しない範囲で、種々変形して実施することができる。
【００９３】
変形例について説明する。
例えば、本フレーム伝送システム９９は、デュアルホーミング方式（デュアルホーミング）を用いて構成することもできる。このデュアルホーミングとは、各ＡＤＭノード５０ａ〜５０ｄ間のリング伝送路５０ｆが、上り下りからなる２本（一対）の光ファイバを例えば４本（２対）にしたネットワーク構成である。
【００９４】
具体的には、イーサネットインターフェース部１０において、ＡＤＭノード５０ａ〜５０ｄ側に、２基（一対）のＬＡＮスイッチ（マスタＬＡＮスイッチおよびスレーブＬＡＮスイッチ）が設けられ、これらのＬＡＮスイッチが、それぞれ、現用および予備用として機能するようになっている。
このような構成によって、通常時は現用パスを用いて情報データが伝送され、予備用パスを用いて制御管理用のＳＯＮＥＴフレームが伝送される。そして、リング伝送路５０ｆのいずれかにおいて、障害が発生すると、マスタＬＡＮスイッチおよびスレーブＬＡＮスイッチが、相互にスレーブＬＡＮスイッチおよびマスタＬＡＮスイッチに切り替わる。
【００９５】
このようにして、現用イーサネットフレームの破棄が回避され、適切な伝送保護が可能となる。
このほかに、上記の実施態様においては、ＳＯＮＥＴの代わりに、ＳＤＨを用いることができる。
また、ＳＯＮＥＴ多重分離装置とＬＡＮスイッチとを一体化させてもよい。
【００９６】
例えば、ＡＤＭノード数、クライアント端末４３の数等は、例示であり、上述したものに限定されず、種々の値を用いて実施可能である。
（Ｃ）付記
（付記１）  イーサネットフレームとＳＯＮＥＴフレームとを変換可能なインターフェース装置において、
該イーサネットフレームの特定ＶＬＡＮ識別子とＳＯＮＥＴフレームの特定ＳＴＳパス識別子とを対応付けて保持する第１保持部と、
入力された複数のイーサネットフレームのＶＬＡＮ識別子のうちの該第１保持部にて保持された該特定ＳＴＳパス識別子に対応する特定ＶＬＡＮ識別子を有するイーサネットフレームを多重化する多重化部とをそなえて構成されたことを特徴とする、インターフェース装置。
【００９７】
（付記２）  該多重化部が、
該複数のイーサネットフレームのうちの該特定ＶＬＡＮ識別子を有するイーサネットフレームを通過させるフィルタリング部と、
該フィルタリング部を通過したイーサネットフレームに含まれる情報データをカプセル化する第１カプセル化部とをそなえて構成されたことを特徴とする、付記１記載のインターフェース装置。
【００９８】
（付記３）  該多重化部が、
該第１カプセル化部にてカプセル化されたイーサネットフレームに、対向する対向ＳＯＮＥＴ伝送装置のＳＴＳパス識別子を挿入するＩＤ挿入部をそなえて構成されたことを特徴とする、付記２記載のインターフェース装置。
（付記４）  該多重化部が、
該第１カプセル化部にてカプセル化されたイーサネットフレームに、入力側のイーサネットフレームの伝送障害を表すフラグを挿入するフラグ挿入部をそなえて構成されたことを特徴とする、付記２又は付記３記載のインターフェース装置。
【００９９】
（付記５）  イーサネットフレームとＳＯＮＥＴフレームとを変換可能なインターフェース装置において、
該ＳＯＮＥＴフレームの特定ＳＴＳパス識別子とイーサネットフレームの特定ＶＬＡＮ識別子とを対応付けて保持する第２保持部と、
複数のイーサネットフレームを多重化されたＳＯＮＥＴフレームに起因するフレームから各イーサネットフレームと該ＳＯＮＥＴフレームのＳＴＳパス識別子とを抽出し、抽出した複数のイーサネットフレームに、該第２保持部にて保持された該ＳＴＳパス識別子に対応するＶＬＡＮ識別子を付与する分離部とをそなえて構成されたことを特徴とする、インターフェース装置。
【０１００】
（付記６）  該分離部にて付与された該複数のイーサネットフレームをイーサネットインターフェースに多重するイーサネット多重化部をそなえて構成されたことを特徴とする、付記５記載のインターフェース装置。
（付記７）  イーサネットフレームとＳＯＮＥＴフレームとを変換可能なインターフェース装置において、
該イーサネットフレームの特定ＶＬＡＮ識別子とＳＯＮＥＴフレームの特定ＳＴＳパス識別子とを対応付けて保持する第１保持部と、
入力された複数のイーサネットフレームのＶＬＡＮ識別子のうちの該第１保持部にて保持された該特定ＳＴＳパス識別子に対応する特定ＶＬＡＮ識別子を有するイーサネットフレームを多重化する多重化部と、
該特定ＳＴＳパス識別子と該特定ＶＬＡＮ識別子とを対応付けて保持する第２保持部と、
複数のイーサネットフレームを多重化されたＳＯＮＥＴフレームに起因するフレームから各イーサネットフレームと該ＳＯＮＥＴフレームのＳＴＳパス識別子とを抽出し、抽出した複数のイーサネットフレームに、該第２保持部にて保持された該ＳＴＳパス識別子に対応するＶＬＡＮ識別子を付与する分離部とをそなえて構成されたことを特徴とする、インターフェース装置。
【０１０１】
（付記８）  イーサネットインターフェース装置とＳＯＮＥＴインターフェース装置とをそなえたＳＯＮＥＴ多重分離装置において、
該イーサネットインターフェース装置が、
該イーサネットフレームの特定ＶＬＡＮ識別子とＳＯＮＥＴフレームの特定ＳＴＳパス識別子とを対応付けて保持する第１保持部と、
入力された複数のイーサネットフレームのＶＬＡＮ識別子のうちの該第１保持部にて保持された該特定ＳＴＳパス識別子に対応する特定ＶＬＡＮ識別子を有するイーサネットフレームを多重化する多重化部とをそなえて構成されたことを特徴とする、ＳＯＮＥＴ多重分離装置。
【０１０２】
（付記９）  イーサネットインターフェース装置とＳＯＮＥＴインターフェース装置とをそなえたＳＯＮＥＴ多重分離装置において、
該イーサネットインターフェース装置が、
該ＳＯＮＥＴフレームの特定ＳＴＳパス識別子とイーサネットフレームの特定ＶＬＡＮ識別子とを対応付けて保持する第２保持部と、
複数のイーサネットフレームを多重化されたＳＯＮＥＴフレームに起因するフレームから各イーサネットフレームと該ＳＯＮＥＴフレームのＳＴＳパス識別子とを抽出し、抽出した各イーサネットフレームに、該第２保持部にて保持された該ＳＴＳパス識別子に対応するＶＬＡＮ識別子を付与する分離部とをそなえて構成されたことを特徴とする、ＳＯＮＥＴ多重分離装置。
【０１０３】
（付記１０）  イーサネットインターフェース装置とＳＯＮＥＴインターフェース装置とを有するＳＯＮＥＴ多重分離装置を複数そなえた伝送システムにおいて、
該複数のＳＯＮＥＴ多重分離装置のうちの第１のＳＯＮＥＴ多重分離装置が、該イーサネットフレームの特定ＶＬＡＮ識別子とＳＯＮＥＴフレームの特定ＳＴＳパス識別子とを対応付けて保持する第１保持部と、
入力された複数のイーサネットフレームのＶＬＡＮ識別子のうちの該第１保持部にて保持された該特定ＳＴＳパス識別子に対応する特定ＶＬＡＮ識別子を有する複数のイーサネットフレームを多重化する多重化部とをそなえるとともに、
該複数のＳＯＮＥＴ多重分離装置のうちの第２のＳＯＮＥＴ多重分離装置が、該ＳＯＮＥＴフレームの特定ＳＴＳパス識別子とイーサネットフレームの特定ＶＬＡＮ識別子とを対応付けて保持する第２保持部と、
該ＳＯＮＥＴフレームに起因するフレームから各イーサネットフレームと該ＳＯＮＥＴフレームのＳＴＳパス識別子とを抽出し、抽出した各イーサネットフレームに、該第２保持部にて保持された該ＳＴＳパス識別子に対応するＶＬＡＮ識別子を付与する分離部とをそなえて構成されたことを特徴とする、伝送システム。
【０１０４】
（付記１１）  該第１のＳＯＮＥＴ多重分離装置の多重化部が、入力側のイーサネットフレームの伝送障害を表すフラグを該ＳＯＮＥＴフレームに挿入するとともに、
該第２のＳＯＮＥＴ多重分離装置の分離部が、該ＳＯＮＥＴフレームに起因するフレームから該フラグの検出により、送信すべきイーサネットフレームの出力を停止するように構成されたことを特徴とする、付記１０記載の伝送システム。
【０１０５】
（付記１２）  イーサネットフレームとＳＯＮＥＴフレームとを変換可能なインターフェース装置におけるフレーム伝送方法であって、
複数のイーサネットフレームを入力され、
該複数のイーサネットフレームのうちの該特定ＶＬＡＮ識別子を有するイーサネットフレームを通過させ、
通過させたイーサネットフレームを多重化することを特徴とする、フレーム伝送方法。
【０１０６】
（付記１３）  イーサネットフレームとＳＯＮＥＴフレームとを変換可能なインターフェース装置におけるフレーム伝送方法であって、
複数のイーサネットフレームを多重化されたＳＯＮＥＴフレームを受信し、
該多重化されたＳＯＮＥＴフレームに起因するフレームから各イーサネットフレームと該ＳＯＮＥＴフレームのＳＴＳパス識別子とを抽出し、
抽出した各イーサネットフレームに、抽出したＳＴＳパス識別子に対応するＶＬＡＮ識別子を付与することを特徴とする、フレーム伝送方法。
【０１０７】
（付記１４）  イーサネットインターフェース装置とＳＯＮＥＴインターフェース装置とを有するＳＯＮＥＴ多重分離装置を複数そなえた伝送システムにおけるフレーム伝送方法であって、
該複数のＳＯＮＥＴ多重分離装置のうちの第１のＳＯＮＥＴ多重分離装置が、複数のイーサネットフレームを入力され、
該複数のイーサネットフレームのうちの該特定ＶＬＡＮ識別子を有するイーサネットフレームを通過させ、
通過させたイーサネットフレームを多重化し、
該複数のＳＯＮＥＴ多重分離装置のうちの第２のＳＯＮＥＴ多重分離装置が、該複数のイーサネットフレームを多重化されたＳＯＮＥＴフレームを受信し、
該多重化されたＳＯＮＥＴフレームに起因するフレームから各イーサネットフレームと該ＳＯＮＥＴフレームのＳＴＳパス識別子とを抽出し、
抽出した各イーサネットフレームに、抽出したＳＴＳパス識別子に対応するＶＬＡＮ識別子を付与することを特徴とする、フレーム伝送方法。
【０１０８】
【発明の効果】
以上詳述したように、本発明のインターフェース装置（請求項１，２），ＳＯＮＥＴ多重分離装置（請求項３），伝送システム（請求項４）およびフレーム伝送方法（請求項５）によれば、以下のような効果ないしは利点がある。
（１）本発明のインターフェース装置によれば、イーサネットフレームとＳＯＮＥＴフレームとを変換可能なインターフェース装置において、イーサネットフレームの特定ＶＬＡＮ識別子とＳＯＮＥＴフレームの特定ＳＴＳパス識別子とを対応付けて保持する第１保持部と、入力された複数のイーサネットフレームのＶＬＡＮ識別子のうちの第１保持部にて保持された特定ＳＴＳパス識別子に対応する特定ＶＬＡＮ識別子を有するイーサネットフレームを多重化する多重化部とをそなえて構成されているので、例えばフレームのＶＬＡＮＩＤとＳＴＳパスのＩＤとが定義付けられ、インターフェース装置の機構を簡略化でき、また、信頼性の向上を図ることができる（請求項１）。
【０１０９】
（２）多重化部が、複数のイーサネットフレームのうちの特定ＶＬＡＮ識別子を有するイーサネットフレームを通過させるフィルタリング部と、フィルタリング部を通過したイーサネットフレームに含まれる情報データをカプセル化する第１カプセル化部とをそなえて構成されてもよく、このようにすれば、ＭＡＣアドレス学習をせずにフィルタリングを用いるので、より簡単にＶＬＡＮＩＤの識別をすることができ、また、学習しない分、機構が簡略化できる。
【０１１０】
（３）多重化部が、第１カプセル化部にてカプセル化されたイーサネットフレームに対向する対向ＳＯＮＥＴ伝送装置のＳＴＳパス識別子を挿入するＩＤ挿入部をそなえて構成されてもよく、このようにすれば、フレームを対向ＳＯＮＥＴ装置に確実に伝送でき、かつ、ＬＡＮスイッチ内でのアドレス学習の必要がなくなるる。
【０１１１】
（４）多重化部が、第１カプセル化部にてカプセル化されたイーサネットフレームに、入力側のイーサネットフレームの伝送障害を表すフラグを挿入するフラグ挿入部をそなえて構成されてもよく、このようにすれば、イーサネット側の障害を検出でき、インターフェース装置の信頼度が向上する。
（５）本発明のインターフェース装置によれば、ＳＯＮＥＴフレームの特定ＳＴＳパス識別子とイーサネットフレームの特定ＶＬＡＮ識別子とを対応付けて保持する第２保持部と、複数のイーサネットフレームを多重化されたＳＯＮＥＴフレームから各イーサネットフレームとＳＯＮＥＴフレームのＳＴＳパス識別子とを抽出し、抽出した複数のイーサネットフレームに、第２保持部にて保持されたＳＴＳパス識別子に対応するＶＬＡＮ識別子を付与する分離部とをそなえて構成されているので、ＳＴＳパスＩＤからＶＬＡＮＩＤへの変換によるフレームのカプセル化の解除が容易に可能となる。
【０１１２】
（６）分離部にて付与された複数のイーサネットフレームをイーサネットインターフェースに多重するように構成されてもよく、このようにすれば、ハードウェアへの負荷が減り、装置機構が簡素化し、イーサネットインターフェース部の性能向上に寄与する。
（７）本発明のＳＯＮＥＴ多重分離装置によれば、イーサネットインターフェース装置とＳＯＮＥＴインターフェース装置とをそなえたＳＯＮＥＴ多重分離装置において、イーサネットインターフェース装置が、イーサネットフレームの特定ＶＬＡＮ識別子とＳＯＮＥＴフレームの特定ＳＴＳパス識別子とを対応付けて保持する第１保持部と、入力された複数のイーサネットフレームのＶＬＡＮ識別子のうちの第１保持部にて保持された特定ＳＴＳパス識別子に対応する特定ＶＬＡＮ識別子を有するイーサネットフレームを多重化する多重化部とをそなえて構成されているので、各イーサネットフレームに固有のＶＬＡＮＩＤの使用によってＭＡＣアドレスが不要になる（請求項２）。
【０１１３】
（８）本発明のＳＯＮＥＴ多重分離装置によれば、イーサネットインターフェース装置が、ＳＯＮＥＴフレームの特定ＳＴＳパス識別子とイーサネットフレームの特定ＶＬＡＮ識別子とを対応付けて保持する第２保持部と、複数のイーサネットフレームを多重化されたＳＯＮＥＴフレームから各イーサネットフレームとＳＯＮＥＴフレームのＳＴＳパス識別子とを抽出し、抽出した各イーサネットフレームに、第２保持部にて保持されたＳＴＳパス識別子に対応するＶＬＡＮ識別子を付与する分離部とをそなえて構成されているので、例えばＶＬＡＮＩＤとＳＴＳパスＩＤとの対比によって確実に指定パスを受信側に伝送できる（請求項３）。
【０１１４】
（９）本発明の伝送システムによれば、イーサネットインターフェース装置とＳＯＮＥＴインターフェース装置とを有するＳＯＮＥＴ多重分離装置を複数そなえた伝送システムにおいて、複数のＳＯＮＥＴ多重分離装置のうちの第１のＳＯＮＥＴ多重分離装置が、イーサネットフレームの特定ＶＬＡＮ識別子とＳＯＮＥＴフレームの特定ＳＴＳパス識別子とを対応付けて保持する第１保持部と、入力された複数のイーサネットフレームのＶＬＡＮ識別子のうちの第１保持部にて保持された特定ＳＴＳパス識別子に対応する特定ＶＬＡＮ識別子を有する複数のイーサネットフレームを多重化する多重化部とをそなえるとともに、複数のＳＯＮＥＴ多重分離装置のうちの第２のＳＯＮＥＴ多重分離装置が、ＳＯＮＥＴフレームの特定ＳＴＳパス識別子とイーサネットフレームの特定ＶＬＡＮ識別子とを対応付けて保持する第２保持部と、ＳＯＮＥＴフレームに起因するフレームから各イーサネットフレームとＳＯＮＥＴフレームのＳＴＳパス識別子とを抽出し、抽出した各イーサネットフレームに、第２保持部にて保持されたＳＴＳパス識別子に対応するＶＬＡＮ識別子を付与する分離部とをそなえて構成されているので、障害時の自動シャットダウン機能により、装置信頼度の向上できる（請求項４）。
【０１１５】
（１０）第１のＳＯＮＥＴ多重分離装置の多重化部が、入力側のイーサネットフレームの伝送障害を表すフラグをＳＯＮＥＴフレームに挿入するとともに、第２のＳＯＮＥＴ多重分離装置の分離部が、ＳＯＮＥＴフレームに起因するフレームからフラグの検出により、送信すべきイーサネットフレームの出力を停止するように構成されてもよく、このようにすれば、障害時は受信側ＳＯＮＥＴ多重分離装置の送信側イーサネットポートの出力を自動的にシャットダウンできる。
【０１１６】
（１１）本発明のフレーム伝送方法によれば、イーサネットフレームとＳＯＮＥＴフレームとを変換可能なインターフェース装置におけるフレーム伝送方法であって、複数のイーサネットフレームを入力され、複数のイーサネットフレームのうちの特定ＶＬＡＮ識別子を有するイーサネットフレームを通過させ、通過させたイーサネットフレームをＳＯＮＥＴフレームのＳＴＳパス識別子領域に多重化するので、フレームを目的の対向伝送装置に確実に伝送でき、かつ、ＬＡＮスイッチ内でのアドレス学習の必要がなくなることで、ハードウェアへの負荷が減り、装置機構が簡素化し、イーサネットインターフェース部の性能向上に寄与する（請求項５）。
【０１１７】
（１２）本発明のフレーム伝送方法によれば、複数のイーサネットフレームを多重化されたＳＯＮＥＴフレームを受信し、多重化されたＳＯＮＥＴフレームに起因するフレームから各イーサネットフレームとＳＯＮＥＴフレームのＳＴＳパス識別子とを抽出し、抽出した各イーサネットフレームに、抽出したＳＴＳパス識別子に対応するＶＬＡＮ識別子を付与するので、障害時の自動シャットダウン機能により、装置信頼度の向上できる。
【０１１８】
（１３）本発明のフレーム伝送方法によれば、イーサネットインターフェース装置とＳＯＮＥＴインターフェース装置とを有するＳＯＮＥＴ多重分離装置を複数そなえた伝送システムにおけるフレーム伝送方法であって、複数のＳＯＮＥＴ多重分離装置のうちの第１のＳＯＮＥＴ多重分離装置が、複数のイーサネットフレームを入力され、複数のイーサネットフレームのうちの特定ＶＬＡＮ識別子を有するイーサネットフレームを通過させ、通過させたイーサネットフレームを多重化し、複数のＳＯＮＥＴ多重分離装置のうちの第２のＳＯＮＥＴ多重分離装置が、複数のイーサネットフレームを多重化されたＳＯＮＥＴフレームを受信し、多重化されたＳＯＮＥＴフレームに起因するフレームから各イーサネットフレームとＳＯＮＥＴフレームのＳＴＳパス識別子とを抽出し、抽出した各イーサネットフレームに、抽出したＳＴＳパス識別子に対応するＶＬＡＮ識別子を付与するので、やはり、複数のＳＯＮＥＴ多重分離装置は各データフレーム内のＶＬＡＮＩＤだけを使用してＭＡＣアドレス学習をすることなくＭＡＣフレームを各ポートに振り分けでき、１対Ｎの伝送が可能となる。
【図面の簡単な説明】
【図１】本発明が適用されるフレーム伝送システムの概略的な構成図である。
【図２】本発明の一実施形態に係るＬＡＮスイッチの送信部の要部を示す図である。
【図３】本発明の一実施形態に係るＬＡＮスイッチの受信部の要部を示す図である。
【図４】ＶＬＡＮの一例を説明するための図である。
【図５】本発明の一実施形態に係るＡＤＭノードのブロック図である。
【図６】本発明の一実施形態に係るイーサネットインターフェース部のブロック図である。
【図７】（ａ）は本発明の一実施形態に係るイーサネットフレームのフォーマットを示す図であり、（ｂ）は本発明の一実施形態に係るＳＯＮＥＴフレームのフォーマットを示す図である。
【図８】イーサネットオーバーＳＯＮＥＴシステムの概略的な構成図である。
【図９】Ｌ２スイッチ使用時のイーサネットオーバーＳＯＮＥＴインターフェース部のブロック図である。
【符号の説明】
１０  イーサネットインターフェース部（イーサネットユニット）
１０ａ  第１ＳＴＳインターフェース部
１０ｂ  第２ＳＴＳインターフェース部
１０ｃ  セレクタ
１０ｄ  光電気変換部
１０ｅ  １ギガビットイーサネットカード
１１  制御部
１１ａ  レジスタ（第１保持部）
１１ｂ  レジスタ（第２保持部）
１２  スイッチファブリック（ＳＴＳ−ＳＦ）
１３ａ，１３ｂ  ラインスイッチ
１４  スイッチ部（ＢＬＳＲスイッチ＆ブリッジ）
１５  タイムスロットインターチェンジ（ＴＳＩ）
１７  多重化部
１７ａ  フィルタリング部
１７ｂ  バッファ
１７ｃ  カプセル化部
１７ｃ  ＩＤ挿入部
１７ｅ  フラグ挿入部
１８  分離部
１９ａ  断検出部
２０  振り分け処理部
２０ａ  第１物理終端部
２０ｂ  第１フレーム終端部
３０  イーサネットインターフェース多重化部
３０ａ  イーサネット多重化部
３０ｂ  第２フレーム終端部
３０ｃ  第２物理終端部
３０ｄ  論理回路
４１  サーバ
４２ａ〜４２ｄ，５４  ＬＡＮスイッチ
４３，５２ａ，５２ｂ，５２ｃ，５３ａ，５３ｂ，５３ｃ，５３ｄ  クライアント端末
４４  フレーム送信部
４５  フレーム受信部
４９  ＶＬＡＮ
５０ａ〜５０ｄ  ＳＯＮＥＴ多重分離装置（ＡＤＭノード）
５０ｆ  リング伝送路
５１〜５３  グループ（ネットワーク）
５１ａ，５１ｂ，５１ｃ  クライアント端末
９９  フレーム伝送システム
９９ａ  ネットワーク制御装置
９９ｂ  制御インターフェース部
１１０  入力イーサネットポート（入力ポート）
１１１  パケットバッファ
１１１ｂ  ヘッダＦＩＦＯバッファ
１１２  ネットワークプロセッサ
１１３  ルーティングテーブル
１１４  出力バッファ
１１５  出力イーサネットポート（出力ポート）
１２０  入力ポート
１２１  入力バッファ
１２５  ネットワークプロセッサ
１２６  方路出力ポート
【図１】
2004194051.tif 000003
【図２】
2004194051.tif 000004
【図３】
2004194051.tif 000005
【図４】
2004194051.tif 000006
【図５】
2004194051.tif 000007
【図６】
2004194051.tif 000008
【図７】
2004194051.tif 000009
【図８】
2004194051.tif 000010
【図９】
2004194051.tif 000011